(57)【要約】【課題】電池を電源としてヒーターを加温することで、携帯して自由な場所で便利に使用する。電池の発熱を体表面の加温に有効に利用しながら無駄な放熱を防止する。【解決手段】携帯式のシート状暖房器具は、可撓性のあるシート状で、ヒーター１２を内蔵する発熱ユニット１と、発熱ユニット１に連結され、かつ発熱ユニット１よりも大きくて可撓性のあるシート状のカバーシート２と、発熱ユニット１にリード線４を介して接続され、かつヒーター１２に通電して発熱ユニット１を加温する電池ユニット３とを備える。シート状暖房器具は、発熱ユニット１を交換できるようにカバーシート２に連結しており、発熱ユニット１をカバーシート２に連結する状態で、電池ユニット３が内蔵する電池３２でヒーター１２を発熱させて発熱ユニット１を加温し、カバーシート２でもって発熱ユニット１の外側面１Ｂの放熱を防止して、内側の加温面１Ａで人体表面を加温する。【選択図】図２
2010054174.tif 000002
【特許請求の範囲】
【請求項１】
可撓性のあるシート状であってヒーター(12)を内蔵する発熱ユニット(1)と、この発熱ユニット(1)に連結され、かつ発熱ユニット(1)よりも大きくて可撓性のあるシート状であるカバーシート(2)と、前記発熱ユニット(1)にリード線(4)を介して接続され、かつ前記ヒーター(12)に通電して発熱ユニット(1)を加温する充電できる電池(32)を内蔵してなる電池ユニット(3)とを備え、
前記発熱ユニット(1)が交換できるようにカバーシート(2)に連結され、前記発熱ユニット(1)をカバーシート(2)に連結する状態で電池ユニット(3)が前記ヒーター(12)を発熱させて発熱ユニット(1)を加温し、カバーシート(2)でもって発熱ユニット(1)の外側面(1B)の放熱を防止して、内側の加温面(1A)で人体表面を加温するようにしてなる携帯式のシート状暖房器具。
【請求項２】
前記発熱ユニット(1)が、その両側を脱着具(5)を介してカバーシート(2)の裏面に脱着自在に連結されて、発熱ユニット(1)が体表面の加温面(1A)を露出させる状態でカバーシート(2)に連結され、発熱ユニット(1)の外側面(1B)の放熱をカバーシート(2)で防止するようにしてなる請求項１に記載される携帯式のシート状暖房器具。
【請求項３】
前記脱着具(5)が、摺動子(52)を移動させて一対のテープ(51)を脱着自在に連結してなるスライドファスナ(50)で、スライドファスナ(50)の第１のテープ(51A)が発熱ユニット(1)の両側縁に連結され、第２のテープ(51B)がカバーシート(2)に連結され、スライドファスナ(50)を介して発熱ユニット(1)がカバーシート(2)の片面に脱着自在に連結してなる請求項１に記載される携帯式のシート状暖房器具。
【請求項４】
前記カバーシート(2)が、発熱ユニット(1)に積層される積層断熱部(2A)と、発熱ユニット(1)が積層されない非積層断熱部(2B)とからなり、発熱ユニット(1)に積層されない非積層断熱部(2B)を積層断熱部(2A)の外側に配置するようにしてなる請求項１に記載される携帯式のシート状暖房器具。
【請求項５】
前記カバーシート(2)が、中央部に積層断熱部(2A)があってその両側に非積層断熱部(2B)を設けており、積層断熱部(2A)に発熱ユニット(1)を脱着自在に連結してなる請求項４に記載される携帯式のシート状暖房器具。
【請求項６】
前記発熱ユニット(1)が四角形で、カバーシート(2)は発熱ユニット(1)よりも横幅の広い四角形で、カバーシート(2)が中央部に積層断熱部(2A)を設けて、その両側に非積層断熱部(2B)を設けてなる請求項５に記載される携帯式のシート状暖房器具。
【請求項７】
前記カバーシート(2)が、スライドファスナ(50)をカバーする覆い片(22)の片側を連結しており、発熱ユニット(1)がカバーシート(2)に連結される状態で、覆い片(22)がスライドファスナ(50)を被覆するようにしてなる請求項３に記載される携帯式のシート状暖房器具。
【請求項８】
前記カバーシート(2)が、膝掛け、巻きスカート、エプロン、チョッキ、ジャンパーのいずれかである請求項１に記載される携帯式のシート状暖房器具。
【請求項９】
前記電池ユニット(3)に連結しているリード線(4)が脱着できるコネクタ(14)、(15)を介して発熱ユニット(1)に連結している請求項１に記載される携帯式のシート状暖房器具。
【発明の詳細な説明】
【技術分野】
【０００１】
本発明は、主として膝掛けとして使用できる携帯式のシート状暖房器具に関する。
【背景技術】
【０００２】
商用電源で加温しない暖房器具として、ＵＳＢのコネクタに接続して加温できる足温器が開発されている（特許文献１参照）。この足温器は、ＵＳＢコネクタのある場所で便利に使用できるが、ヒーターを必要とする全ての用途で、ＵＳＢコネクタがあるとは限らない。商用電源やＵＳＢコネクタのない用途で加温できる暖房器具として、充電電池を内蔵する懐炉が開発されている（特許文献２参照）。
【特許文献１】実用新案登録第３１１５５９４号公報
【特許文献２】特開２００８−１３２３０５号公報
【発明の開示】
【発明が解決しようとする課題】
【０００３】
暖房器具である懐炉は、主として手などを暖めるのに使用するので自由に変形できる可撓性を必要としない。このため、電池を内蔵することで使用に不便なことはない。ところが、シート状暖房器具は、用途によって自由に変形して使用することから、電池を内蔵するとこの部分を自由に変形できず、便利に使用できない。とくに、携帯できるシート状暖房器具は、出力の制限できる電池を電源として使用し、また、懐炉に比較して相当に広い面積を加温することから、発熱をいかに有効に人体の体表面の加温に利用できるかが大切になる。このことから、シートを体表面の加温部分により接近できることが大切である。体表面から離れると、効率よく加温できなくなるからである。このことから、携帯できるシート状暖房器具は、全体を体表面に沿って自由に変形できることが大切である。また、ヒーターの発熱をより有効に利用するために、外部の放熱を少なくしながら、体表面の加温に有効に使用できることが大切である。
【０００４】
本発明は、このことを実現することを目的に開発されたもので、本発明の重要な目的は、電池を電源としてヒーターを加温することで、携帯してどこでも自由な場所で便利に使用できる携帯式のシート状暖房器具を提供することにある。
また、本発明の他の大切な目的は、電池の発熱を体表面の加温に有効に利用しながら、無駄な放熱を防止し、さらに、カバーシートを変更することで種々の用途に最適な状態で便利に使用できる携帯式のシート状暖房器具を提供することにある。
さらにまた、本発明の他の大切な目的は、電池を大きくして使用時間を長くしても、変形できない電池の欠点を防止して種々の用途で便利に使用できる携帯式のシート状暖房器具を提供することにある。
【課題を解決するための手段及び発明の効果】
【０００５】
本発明の携帯式のシート状暖房器具は、可撓性のあるシート状であってヒーター１２を内蔵する発熱ユニット１と、この発熱ユニット１に連結され、かつ発熱ユニット１よりも大きくて可撓性のあるシート状であるカバーシート２と、発熱ユニット１にリード線４を介して接続され、かつヒーター１２に通電して発熱ユニット１を加温する、充電できる電池３２を内蔵してなる電池ユニット３とを備えている。携帯式のシート状暖房器具は、発熱ユニット１を交換できるようにカバーシート２に連結しており、発熱ユニット１をカバーシート２に連結する状態で、電池ユニット３がヒーター１２を発熱させて発熱ユニット１を加温し、カバーシート２でもって発熱ユニット１の外側面１Ｂの放熱を防止して、内側の加温面１Ａで人体表面を加温する。
【０００６】
以上の携帯式のシート状暖房器具は、充電できる電池を電源としてヒーターを加温することで、携帯してどこでも自由な場所で便利に使用できる特徴がある。さらに、以上のシート状暖房器具は、電池の発熱を体表面の加温に有効に利用しながら、無駄な放熱を防止し、さらにカバーシートを変更することで種々の用途に最適な状態で便利に使用できる特徴が実現できる。それは、以上のシート状暖房器具が、発熱ユニットとカバーシートと電池ユニットとを分離できる構造とし、発熱ユニットを脱着自在にカバーシートに連結し、さらに電池ユニットはリード線を介して発熱ユニットに接続しているからである。脱着自在に発熱ユニットに連結されるカバーシートは、種々の用途に最適な外形として、膝掛けや巻きスカートのように、別の用途に便利に使用できる。また、このカバーシートが発熱ユニットの放熱を防止するので、発熱ユニットの熱を外部に無駄に放熱することなく有効に体表面の加温に利用できる。
【０００７】
さらに、以上のシート状暖房器具は、電池を大きくして使用時間を長くしても、変形できない電池の欠点を防止して種々の用途で便利に使用できる特徴も実現する。それは、電池を電池ユニットに収納して、これをリード線を介して発熱ユニットに連結しているので、電池ユニットは使用状態によっては、ユーザーのポケットに収納し、あるいは発熱ユニットやカバーシートに設けた収納部に収納して使用できるからである。
【０００８】
本発明の携帯式のシート状暖房器具は、発熱ユニット１を、その両側を脱着具５を介してカバーシート２の裏面に脱着自在に連結して、発熱ユニット１を体表面の加温面１Ａを露出させる状態でカバーシート２に連結し、発熱ユニット１の外側面１Ｂの放熱をカバーシート２で防止することができる。
以上のシート状暖房器具は、発熱ユニットの加温面を露出させる状態でカバーシートの片面に連結するので、カバーシートで発熱ユニットの無駄な放熱を有効に防止しながら、発熱ユニットでユーザーの体表面を直接に効率よく加温できる特徴がある。
【０００９】
本発明の携帯式のシート状暖房器具は、脱着具５を、摺動子５２を移動させて一対のテープ５１を脱着自在に連結してなるスライドファスナ５０とすることができる。このシート状暖房器具は、スライドファスナ５０の第１のテープ５１Ａを発熱ユニット１の両側縁に連結し、第２のテープ５１Ｂをカバーシート２に連結し、スライドファスナ５０を介して発熱ユニット１をカバーシート２の片面に脱着自在に連結することができる。
以上のシート状暖房器具は、発熱ユニットの両側をスライドファスナで脱着自在にカバーシートに連結するので、簡単かつ容易に、しかも速やかに発熱ユニットをカバーシートに脱着できる。このため、種々の用途に使用できる外形が異なるカバーシート、あるいは汚れたカバーシートを簡単に脱着して便利に使用できる。
【００１０】
本発明の携帯式のシート状暖房器具は、カバーシート２を、発熱ユニット１に積層される積層断熱部２Ａと、発熱ユニット１が積層されない非積層断熱部２Ｂとで構成し、発熱ユニット１に積層されない非積層断熱部２Ｂを積層断熱部２Ａの外側に配置することができる。
以上のシート状暖房器具は、カバーシートに、発熱ユニットに積層される積層断熱部と、発熱ユニットが積層されない非積層断熱部とを設けているので、積層断熱部で発熱ユニットの放熱を防止しながら、非積層断熱部で体表面からの放熱を防止して、ユーザーを暖かくできる特徴がある。
【００１１】
本発明の携帯式のシート状暖房器具は、カバーシート２の中央部に積層断熱部２Ａを設けると共に、その両側に非積層断熱部２Ｂを設けて、積層断熱部２Ａに発熱ユニット１を脱着自在に連結することができる。
以上のシート状暖房器具は、積層断熱部でユーザーの体表面を加温しながら、その両側に設けた非積層断熱部で熱が逃げるのをさらに有効に防止できる。たとえば、この構造は、膝掛けのように積層断熱部をユーザーの太ももの上に載せ、その両側に設けている非積層断熱部を両足の両側から垂れ下がるようにして、シート状暖房器具の内側で加温され空気が外部に対流するのを防止して、太ももの部分を効果的に加温できる。
【００１２】
本発明の携帯式のシート状暖房器具は、発熱ユニット１を四角形として、カバーシート２を発熱ユニット１よりも横幅の広い四角形とし、カバーシート２の中央部に積層断熱部２Ａを設けて、その両側に非積層断熱部２Ｂを設けることができる。
以上のシート状暖房器具は、中央部に設けている積層断熱部をユーザーの体表面に密着して効果的に加温し、さらにその両側に設けている非積層断熱部で積層断熱部の外側を被覆するように使用して、より効率よく体表面を加温できる。
【００１３】
本発明の携帯式のシート状暖房器具は、カバーシート２に、スライドファスナ５０をカバーする覆い片２２の片面を連結して、発熱ユニット１をカバーシート２に連結する状態で、覆い片２２でスライドファスナ５０を被覆することができる。
以上のシート状暖房器具は、覆い片でスライドファスナをカバーして、ユーザーの体表面に接触しないように使用できる。このため、発熱ユニットを脱着自在としながら、これをカバーシートに連結する状態で快適に使用できる。
【００１４】
本発明の携帯式のシート状暖房器具は、カバーシート２を、膝掛け、巻きスカート、エプロン、チョッキ、ジャンパーのいずれかとすることができる。
以上のシート状暖房器具は、カバーシートを交換することで種々の用途に便利に使用できる。
【００１５】
本発明の携帯式のシート状暖房器具は、電池ユニット３に連結しているリード線４を脱着できるコネクタ１４、１５を介して発熱ユニット１に連結することができる。
以上のシート状暖房器具は、コネクタを外して発熱ユニットから外した電池ユニットの電池を充電できる。このため、電池ユニットのみを充電器にセットして内蔵する電池を充電できる。また、複数の電池ユニットを用意し、複数の電池ユニットを交換しながら発熱ユニットに連結して、使用時間を長くできる。
【発明を実施するための最良の形態】
【００１６】
以下、本発明の実施例を図面に基づいて説明する。ただし、以下に示す実施例は、本発明の技術思想を具体化するための携帯式のシート状暖房器具を例示するものであって、本発明はシート状暖房器具を以下のものに特定しない。
【００１７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図１ないし図４に示す携帯式のシート状暖房器具は、可撓性のあるシート状であってヒーター１２を内蔵している発熱ユニット１と、この発熱ユニット１を連結しているカバーシート２と、発熱ユニット１にリード線４を介して接続している電池ユニット３とを備える。
【００１９】
発熱ユニット１は、布などの可撓性のある２枚の表面シート１１の間に、自由に変形できるヒーター１２を内蔵している。ヒーター１２は、可撓性の芯線の表面に薄い金属泊を巻き付けている電気抵抗の大きい線材、あるいは自由に変形できる薄い金属泊からなる線材であって、絶縁して２枚の表面シート１１の間に固定している。また、ヒーターには、ＰＴＣなどの発熱素子も使用できる。ＰＴＣなどの発熱素子は、複数個を所定の間隔で配置して、可撓性の線材で接続して配置し、あるいはＰＴＣ自体を自由に変形できる構造として、２枚の表面シートの間に配置することもできる。
【００２０】
図のシート状暖房器具は、発熱ユニット１を四角形としている。四角形の発熱ユニット１は、一辺の寸法を４０ｃｍ〜５０ｃｍとしている。この寸法の発熱ユニット１は、膝掛け、巻きスカート、エプロン、チョッキ、ジャンパー等に便利に使用できる。発熱ユニット１は正方形ないし長方形として、一辺の寸法を、２０ｃｍ〜１００ｃｍとして、さらに種々の用途に使用できる。
【００２１】
さらに、発熱ユニット１は、図１と図５に示すように、脱着具５でもってカバーシート２に脱着できるように連結される。図のシート状暖房器具は、脱着具５をスライドファスナ５０としている。そして、発熱ユニット１の両側に設けられた脱着具５は、図５に示す右側の構造と、対称に同じ構造が左側にも採用されている。スライドファスナ５０は、摺動子５２を移動させて一対のテープ５１を脱着自在に連結する。一対のテープ５１には、摺動子５２を移動して脱着自在に連結される連結歯５３を一定の間隔で固定している。スライドファスナ５０は、金属やプラスチック製の連結歯５３を一対のテープ５１の連結縁に沿って固定したもの、あるいは弾性変形して互いに係止状態で脱着自在に連結されるプラスチック線材をテープに沿って固定している、現在すでに使用され、あるいはこれから開発される全ての構造とすることができる。発熱ユニット１をスライドファスナ５０でカバーシート２に脱着自在に連結するシート状暖房器具は、簡単に発熱ユニット１をカバーシート２の定位置に脱着できるように連結できる。ただし、本発明のシート状暖房器具は、脱着具をスライドファスナには特定しない。脱着具には、ホックやボタン、面ファスナーのように、発熱ユニットの側縁をカバーシートに脱着できるように連結できる全てのものを使用できる。
【００２２】
脱着具５をスライドファスナ５０とするシート状暖房器具は、第１のテープ５１Ａを発熱ユニット１の両側縁に連結して、第２のテープ５１Ｂをカバーシート２に連結している。第１のテープ５１Ａは、発熱ユニット１の表面シート１１に縫製して連結され、第２のテープ５１Ｂは、カバーシート２に縫製して連結される。スライドファスナ５０の摺動子５２をテープ５１に沿って移動して、一対のテープ５１を連結して発熱ユニット１がカバーシート２に連結し、また発熱ユニット１をカバーシート２から分離する。図のシート状暖房器具は、スライドファスナ５０を介して発熱ユニット１をカバーシート２の片面に脱着できるように連結している。
【００２３】
さらに、発熱ユニット１が連結されるカバーシート２は、スライドファスナ５０をカバーする覆い片２２を連結している。この覆い片２２は、カバーシート２の表面から、スライドファスナ５０をカバーできる細長い帯状に突出して、図５に示すように、発熱ユニット１をカバーシート２に連結しているスライドファスナ５０を外側からカバーする。図１ないし図３、及び図５のシート状暖房器具は、発熱ユニット１の外側でカバーシート２の内面に積層している内側シート２１の側縁をカバーシート２から突出させて覆い片２２としている。
【００２４】
さらに、図４の発熱ユニット１は、カバーシート２との対向面に、電池ユニット３に連結しているリード線４を接続するコネクタ１４を固定している。コネクタ１４は、表面シート１１の内部に配線しているヒーター１２に接続している。コネクタ１４は、リード線４の先端に連結しているコネクタ１５を脱着できるように連結する。この構造は、リード線４の先端に連結しているコネクタ１５を抜いて、電池ユニット３を発熱ユニット１から分離できる。このため、電池ユニット３のみを充電器に接続して、内蔵する電池３２を充電できる。
【００２５】
さらに、図４の発熱ユニット１は、カバーシート２との対向面に、電池ユニット３を収納する収納袋１３を設けている。収納袋１３は、発熱ユニット１の側縁、図にあっては、発熱ユニット１の上縁に沿って縫製して連結している。さらに、この収納袋１３は、電池ユニット３を出し入れする開口部１３Ａを発熱ユニット１との連結部に沿って設けている。収納袋１３は、開口部１３Ａに沿って袋シート１３Ｂを所定の幅で重ねて、開口部１３Ａから電池ユニット３が漏れない構造としている。この構造は、電池ユニット３を簡単に便利に出し入れして、漏れないように収納できる。収納袋は、開口部にスライドファスナやボタン、面ファスナーを設けて、電池ユニットを収納する収納で開口部を閉塞することもできる。以上の発熱ユニット１は、細長い電池ユニット３を、カバーシート２の長手方向に平行な姿勢で収納袋１３に収納する。
【００２６】
カバーシート２は、発熱ユニット１よりも大きくて可撓性のあるシート状で、発熱ユニット１を積層して発熱ユニット１の放熱を防止する積層断熱部２Ａと、この積層断熱部２Ａの外側にあって発熱ユニット１の積層されない非積層断熱部２Ｂとからなる。積層断熱部２Ａは、図２と図３に示すように、発熱ユニット１の外側面１Ｂを断熱して、発熱ユニット１の外側面１Ｂの放熱を防止する。発熱ユニット１を積層しない非積層断熱部２Ｂは、積層断熱部２Ａの外側にあって、シート状暖房器具を使用する状態で、発熱ユニット１の内側の加温面１Ａで加温された空気を漏れないようにカバーする。図のカバーシート２は、中央部に積層断熱部２Ａを設けると共に、その両側に非積層断熱部２Ｂを設けて、積層断熱部２Ａの内側に発熱ユニット１を脱着できるように連結している。以上のシート状暖房器具は、その使用状態において、カバーシート２の積層断熱部２Ａでもって発熱ユニット１の外側面１Ｂの放熱を防止しながら、発熱ユニット１の内側の加温面１Ａで人体表面を加温し、さらに、積層断熱部２Ａの両側に設けた非積層断熱部２Ｂでもって、発熱ユニット１で加温された空気を漏れないようにカバーできる。
【００２７】
図１ないし図４のシート状暖房器具は、発熱ユニット１を四角形として、カバーシート２の積層断熱部２Ａも四角形としている。積層断熱部２Ａの両側に非積層断熱部２Ｂを設けているカバーシート２は、発熱ユニット１よりも横幅の広い長方形として、カバーシート２の中央部に積層断熱部２Ａを、その両側に非積層断熱部２Ｂを設けている。図のカバーシート２は、非積層断熱部２Ｂの幅を積層断熱部２Ａの幅の約１／２としているが、非積層断熱部の幅は、積層断熱部の幅の１／５〜１．５倍とすることができる。図のシート状暖房器具は、発熱ユニット１とカバーシート２の縦幅をほぼ同じとしている。この形状のシート状暖房器具は、膝掛けとして最適である。シート状暖房器具は、膝掛けに特定せず、巻きスカート、エプロン、チョッキ、ジャンパー等に使用できるので、各々の使用状態において、カバーシート２の積層断熱部２Ａと非積層断熱部２Ｂとは最適な形状とする。積層断熱部２Ａは発熱ユニット１を内側に積層して、発熱ユニット１の内側の加温面１Ａで体表面を快適に加温できる形状と面積とし、非積層断熱部２Ｂは発熱ユニット１で加温する熱を外部に放熱しない形状、あるいは巻きスカート、エプロン、チョッキ、ジャンパー等に使用できる形状に加工される。
【００２８】
カバーシート２は、スライドファスナ５０を介して発熱ユニット１の両側を脱着できるように連結している。さらに、図２のシート状暖房器具は、発熱ユニット１とカバーシート２との対向面に、ホック６Ａからなる脱着連結具６を設けている。図の発熱ユニット１は、両側をスライドファスナ５０からなる脱着具５でカバーシート２に連結し、カバーシート２の外側縁に沿う上下縁をホック６Ａの脱着連結具６でカバーシート２に連結している。ホック６Ａの脱着連結具６は、スライドファスナ５０を外して、発熱ユニット１をカバーシート２から引っ張って外すことができる。また、発熱ユニット１をカバーシート２に押しつけて、ホック６Ａの脱着連結具６を連結することができる。以上の発熱ユニット１は、外周の４辺をカバーシート２に連結するので、外れないように確実にカバーシート２に連結でき、また、連結する状態で、互いに自由に変形できる発熱ユニット１とカバーシート２を位置ずれさせないように連結できる。ただ、発熱ユニットは、必ずしも上下縁をカバーシートに連結する必要はなく、発熱ユニットの外周の２辺のみを脱着具のスライドファスナでカバーシートに連結することもできる。
【００２９】
電池ユニット３は、リード線４を介して発熱ユニット１に接続される。この電池ユニット３は、リード線４を介して発熱ユニット１のヒーター１２に通電して、発熱ユニット１を加温する充電できる電池３２を内蔵している。電池ユニット３を図６と図７に示している。図に示す電池ユニット３は、外形を細長い棒状とする外装ケース３１に、円筒形電池３２を直線状に並べて収納している。図の電池ユニット３は、２本の円筒形電池３２を直線状に並べて収納している。電池３２はリチウムイオン電池である。電池３２をリチウムイオン電池とする電池ユニット３は、外形を小さくしながら、発熱ユニット１の加温時間を長くできる。外形に対する容積を大きくできるからである。
【００３０】
さらに、図７の電池ユニット３は、電池３２と平行に回路基板３３を収納している。回路基板３３には、電池３２の充電と放電を制御する制御回路を実現する電子部品（図示せず）と、発熱ユニット１のオンオフや加温状態の切り換えと、電池３２の残容量の表示を操作するスイッチ３６と、電池３２の使用状態や残容量を表示するパイロットランプである発光ダイオード３４、３５を固定している。
【００３１】
スイッチ３６は、外装ケース３１から表出する押しボタン３７で操作されて、発熱ユニット１の電源のオンオフ及び加温状態と、電池３２の残容量の表示を切り換える。このスイッチ３６は、たとえば、短く、一回押す毎に、以下のように電源のオンオフと加温状態を切り換える。
ヒーター１２へ通電（加温状態・弱）→ヒーター１２へ通電（加温状態・強）→ヒーター１２への通電停止
なお、電池ユニット３が、発熱ユニット１に接続されていない非接続状態のときは、スイッチ３６を押すと、発光ダイオード３４が短く点滅して、接続されていないことを示す。さらに、スイッチ３６は、長押し（例えば、１秒以上の長押し）で、電池３２の残容量を表示する。
【００３２】
発光ダイオード３４、３５は、外装ケース３１に設けている透光部３１Ａ、３１Ｂから外部に光を照射して、発熱ユニット１の加温状態や電池３２の残容量を発光色や光の点灯・点滅で表示する。発熱ユニット１の加温状態を表示する発光ダイオード３４は、例えば、以下のように発光色と点滅パターンを変化させて、発熱ユニット１の加温状態を、強、弱の２段階に分けて表示する。
加温状態・弱………燈色点滅（約３秒おき）
加温状態・強………赤色点滅（約２秒おき）
動作停止……………消灯
非接続状態…………赤色点滅（約０．５秒おきに３回）
【００３３】
また、電池３２の残容量を表示する発光ダイオード３５は、例えば、以下のように発光色と点灯・点滅を変化させて、電池３２の残容量を４段階に分けて表示する。
残容量＝約８０〜１００％………緑色点灯（約３秒間）
残容量＝約２０〜８０％…………燈色点灯（約３秒間）
残容量＝約１０〜２０％…………赤色点灯（約３秒間）
残容量＝約１０％未満……………赤色点滅（約１秒おき）
残容量＝０％………………………消灯
【００３４】
さらに、図の電池ユニット３は、外装ケース３１の一端からブッシュ３８を介してリード線４を引き出している。さらに、リード線４を引き出している一端に、内蔵する電池３２を充電するＡＣアダプタ７の電源プラグ７Ａを連結するための電源コネクタ３９を設けている。電源コネクタ３９は、ＡＣアダプタ７の電源プラグ７Ａを脱着できるように挿入される。この電池ユニット３は、電源コネクタ３９にＡＣアダプタ７の電源プラグ７Ａを連結し、ＡＣアダプタ７から供給される電力で電池３２を充電する。また、充電時においては、周知の技術のように、電池３２の残容量を表示する発光ダイオード３５を、点灯、点滅等させることにより、充電中の電池３２の充電状態（残容量や充電完了）を表示することができる。電池３２の充電状態は、例えば、以下のように発光ダイオード３５の発光色と点滅パターンを変化させて、３段階に分けて表示する。
充電中／残容量＝約２０％未満…………赤色点滅（約１秒おき）
充電中／残容量＝約２０〜８０％………燈色点滅（約１秒おき）
充電中／残容量＝約８０〜１００％……緑色点滅（約１秒おき）
充電完了／残容量＝約１００％…………消灯
【００３５】
図の電池ユニット３は、全体を細長い形状として、同じ端部にリード線４と電源コネクタ３９を配置している。この構造の電池ユニット３は、図４に示すように、発熱ユニット１の収納袋１３等に入れる状態でリード線４を引き出して発熱ユニット１に接続できる。また、収納袋１３に入れてＡＣアダプタ７の電源プラグ７Ａを連結して内蔵する電池３２を充電することもできる。
【図面の簡単な説明】
【００３６】
【図１】本発明の一実施例にかかるシート状暖房器具の平面図である。
【図２】図１に示すシート状暖房器具の分解斜視図である。
【図３】本発明の一実施例にかかるシート状暖房器具の断面図である。
【図４】図２に示すシート状暖房器具の発熱ユニットの底面図である。
【図５】発熱ユニットとカバーシートの連結構造を示す拡大斜視図である。
【図６】電池ユニットの斜視図である。
【図７】図６に示す電池ユニットの縦断面図である。
【符号の説明】
【００３７】
１…発熱ユニット                  １Ａ…加温面
１Ｂ…外側面
２…カバーシート                  ２Ａ…積層断熱部
２Ｂ…非積層断熱部
３…電池ユニット
４…リード線
５…脱着具
６…脱着連結具                    ６Ａ…ホック
７…ＡＣアダプタ                  ７Ａ…電源プラグ
１１…表面シート
１２…ヒーター
１３…収納袋                      １３Ａ…開口部
１３Ｂ…袋シート
１４…コネクタ
１５…コネクタ
２１…内側シート
２２…覆い片
３１…外装ケース                  ３１Ａ…透光部
３１Ｂ…透光部
３２…電池
３３…回路基板
３４…発光ダイオード
３５…発光ダイオード
３６…スイッチ
３７…押しボタン
３８…ブッシュ
３９…電源コネクタ
５０…スライドファスナ
５１…テープ                      ５１Ａ…第１のテープ
５１Ｂ…第２のテープ
５２…摺動子
５３…連結歯
【図１】
2010054174.tif 000003
【図２】
2010054174.tif 000004
【図３】
2010054174.tif 000005
【図４】
2010054174.tif 000006
【図５】
2010054174.tif 000007
【図６】
2010054174.tif 000008
【図７】
2010054174.tif 000009